(57)【要約】    車両用シートは、シートバックと、ヘッドレストと、エアバッグユニットと、を含む。シートバックは、前側及び後側を有する。ヘッドレストは、少なくとも１つのポストによってシートバックに接続され、垂直方向において、シートバックに対して調節可能である。エアバッグユニットは、シートバックによって担持され、エアバッグ及びインフレータを含む。エアバッグは、シートバックの上端部に近接する格納位置からシートバックの後側から後方に展開可能である。少なくとも１つのポストが、エアバッグユニットと交差する少なくとも１つのポストの伸長軸に沿ったラインを有するエアバッグユニットの垂直上方の下端部を含む第１の位置と、少なくとも１つのポストがエアバッグユニットから横方向に離間されている第２の位置と、からなる群から選択される位置で、少なくとも１つのポストは、エアバッグユニットに対して配向されている。  【選択図】図１
2021511258.tif 000002
【特許請求の範囲】
【請求項１】
車両用シートであって、
前側及び後側を有するシートバックと、
少なくとも１つのポストによって前記シートバックに接続されたヘッドレストであって、前記シートバックに対して調節可能である、ヘッドレストと、
エアバッグ及びインフレータを含むエアバッグユニットであって、前記エアバッグユニットが、前記シートバックによって担持され、前記エアバッグが、前記シートバックの上端部に近接する格納位置から前記シートバックの前記後側から後方に展開可能である、エアバッグユニットと、を備え、
前記少なくとも１つのポストが、前記エアバッグユニットと交差する前記少なくとも１つのポストのポスト伸長軸と同一直線上にあるラインを有する前記エアバッグユニットの垂直上方の下端部を含む第１の位置と、前記少なくとも１つのポストが前記エアバッグユニットから横方向に離間されている第２の位置と、からなる群から選択される位置で、前記少なくとも１つのポストは、前記エアバッグユニットに対して配向されている、車両用シート。
【請求項２】
前記ヘッドレストが、前記ポスト伸長軸に平行な方向において、前記シートに対して調節可能である、請求項１に記載の車両用シート。
【請求項３】
前記エアバッグユニットが、前記シートバックの上端部から１００ｍｍ以下の距離だけ下方に離間されている、請求項１に記載の車両用シート。
【請求項４】
前記エアバッグユニットが、前記シートバックの上端部から５０ｍｍ以下の距離だけ下方に離間されている、請求項１に記載の車両用シート。
【請求項５】
前記エアバッグユニットが、前記シートバックの上端部から２５ｍｍ以下の距離だけ下方に離間されている、請求項１に記載の車両用シート。
【請求項６】
前記少なくとも１つのポストが、前記エアバッグユニットと交差する前記少なくとも１つのポストの伸長軸に沿ったラインを有する前記エアバッグユニットの垂直上方の下端部を含む、請求項１に記載の車両用シート。
【請求項７】
前記少なくとも１つのポストが、前記エアバッグユニットから横方向に離間されている、請求項１に記載の車両用シート。
【請求項８】
前記少なくとも１つのポストが、第１のポスト及び第２のポストを含む、請求項１に記載の車両用シート。
【請求項９】
前記少なくとも１つのポストの前記下端部が、前記シートバックの頂部に装着される、請求項１に記載の車両用シート。
【請求項１０】
前記少なくとも１つのポストが、前記シートバックに対して角度調節可能である、請求項１に記載の車両用シート。
【請求項１１】
前記少なくとも１つのポストの上端部が、前記ヘッドレスト内に伸縮可能に受容される、請求項１に記載の車両用シート。
【請求項１２】
前記少なくとも１つのポストが、前記ヘッドレストに係合する上部と、前記シートバックに係合する下部と、を含み、前記上部及び前記下部が、互いに平行であり、かつ互いから横方向に離間されている、請求項１に記載の車両用シート。
【請求項１３】
前記少なくとも１つのポストが、前記上部と前記下部との間に横方向に延在する中間部を更に含む、請求項１２に記載の車両用シート。
【請求項１４】
前記下部が、前記シートバックによって伸縮可能に受容される、請求項１３に記載の車両用シート。
【請求項１５】
車両用シートであって、
前側及び後側を有するシートバックと、
ヘッドレストと、
前記ヘッドレストと前記シートバックとを調節可能に接続する少なくとも１つのポストと、
エアバッグ及びインフレータを含むエアバッグユニットであって、前記エアバッグユニットが、前記シートバックによって担持され、前記エアバッグが、前記シートバックの上端部に近接する格納位置から前記シートバックの前記後側から後方に展開可能である、エアバッグユニットと、を備え、
前記少なくとも１つのポストが、前記エアバッグユニットから横方向に離間している、車両用シート。
【請求項１６】
前記少なくとも１つのポストの各ポストが、ポスト伸長軸を含み、前記ヘッドレストが、前記ポスト伸長軸に平行な方向において前記シートバックに対して調節可能である、請求項１５に記載の車両用シート。
【請求項１７】
前記少なくとも１つのポストが、第１のポスト及び第２のポストを含み、前記第１のポスト及び前記第２のポストの両方が、前記エアバッグユニットから横方向に離間されている、請求項１６に記載の車両用シート。
【請求項１８】
車両用シートであって、
前側及び後側を有するシートバックと、
ヘッドレストと、
前記ヘッドレストと前記シートバックとを調節可能に接続する少なくとも１つのポストであって、前記ヘッドレストが、垂直方向において、前記シートバックに対して調節可能である、少なくとも１つのポストと、
エアバッグ及びインフレータを含むエアバッグユニットであって、前記エアバッグユニットが、前記シートバックによって担持され、前記エアバッグが、前記シートバックの上端部に近接する格納位置から前記シートバックの前記後側から後方に展開可能である、エアバッグユニットと、を備え、
前記少なくとも１つのポストが、前記エアバッグユニットの垂直上方の下端部を含み、前記少なくとも１つのポストのポスト伸長軸と同一直線上にあるラインが、前記エアバッグユニットと交差する、車両用シート。
【請求項１９】
前記ヘッドレストが、前記ポスト伸長軸に平行な方向において、前記シートに対して調節可能である、請求項１８に記載の車両用シート。
【請求項２０】
前記少なくとも１つのポストが、第１のポスト及び第２のポストを含み、前記第１のポスト及び前記第２のポストの両方が、前記エアバッグユニットの垂直上方の下端部を含み、前記少なくとも１つのポストのポスト伸長軸と同一直線上にあるラインが、前記エアバッグユニットと交差する、請求項１８に記載の車両用シート。
【発明の詳細な説明】
【技術分野】
【０００１】
本開示は、概して、乗員安全拘束システムに関する。より具体的には、本開示は、調節可能なヘッドレスト及び一体型後部シートエアバッグを有する車両用シートに関する。
【背景技術】
【０００２】
本項は、本開示に関する背景情報を提供するが、それは必ずしも先行技術ではない。
【０００３】
差し迫った又は実際の車両の衝突の際に乗員保護を強化するための、様々な受動的かつ能動的な乗員拘束システムが知られている。パッシブシステムは、乗員による行動が必要とされない状態で展開される。例えば、正面衝突又は横方向にオフセットした正面衝突の場合、車両乗員を保護する正面エアバッグの使用が、現代の自動車技術において一般的である。運転者の正面エアバッグは、通常、ステアリングホイールのハブ領域内に位置付けられ、前側着座乗員用の正面エアバッグは、通常、器具パネルの内側に位置付けられる。
【０００４】
長年にわたり、正面エアバッグ技術を適合させて、後部着座乗員の保護を強化させる試みがなされてきた。この点に関して、エアバッグが後方展開のために前方車両用シートに装着される様々な着座ソリューションが提案されている。
【０００５】
後方に展開可能なエアバッグを有する車両用シートを含む既知の配置は、具体的に意図される目的のために一般的に許容可能であることが判明しているが、後部シート乗員保護のためのそのようなシステムは、一般的に不利益と関連付けられる。この点に関して、これらの既知のシステムのエアバッグは、概して、相対的に大きいクッション容積を必要とし、概して、充填するためのより多くの膨張ガスを必要とし、概して、車両用シート内のより多くの包装空間を必要とする。相対的に大きいクッションサイズに起因して、そのようなエアバッグは、より速い上昇速度を有するインフレータを必要とする場合がある。付加的に、これらのエアバッグは、後ろ向きのチャイルドシートを最適に収容しない場合がある。
【０００６】
したがって、後側乗員保護を更に強化することによって、関連技術を前進させることが依然として望ましい。
【発明の概要】
【０００７】
本項は、開示の概要を提供するが、その完全な範囲又はその特徴の全てを包括的に開示するものではない。
【０００８】
本教示は、概して、シートバック及びヘッドレストの頂部の適切な被覆を達成する一方で、低減したエアバッグクッションサイズを有し得る後部乗員エアバッグを収容する車両用シートの実施形態を提供する。エアバッグユニットは、シートバックの頂部に近接して、シートバック内に装着され得る。本教示は、さもなければ、シートバックの頂部に近接してシートバック中で利用可能な包装空間の低減から生じる重大な課題を克服する。
【０００９】
特定の一態様によれば、本教示は、シートバックと、ヘッドレストと、エアバッグユニットと、を含む車両用シートを提供する。シートバックは、前側及び後側を有する。ヘッドレストは、少なくとも１つのポストによってシートバックに接続され、略垂直方向においてシートバックに対して調節可能である。エアバッグユニットは、シートバックによって担持され、エアバッグ及びインフレータを含む。エアバッグは、シートバックの上端部又は頂部に近接する格納位置からシートバックの後側から後方に展開可能である。少なくとも１つのポストが、エアバッグユニットと交差する少なくとも１つのポストの伸長軸に沿ったラインを有するエアバッグユニットの垂直上方の下端部を含む第１の位置と、少なくとも１つのポストがエアバッグユニットから横方向に離間されている第２の位置と、からなる群から選択される位置で、少なくとも１つのポストは、エアバッグユニットに対して配向されている。
【００１０】
別の特定の態様によれば、本教示は、前側及び後側を有するシートバックを含む車両用シートを提供する。車両用シートは、ヘッドレストと、ヘッドレストとシートバックとを調節可能に接続する少なくとも１つのポストと、を付加的に含む。車両用シートは、エアバッグ及びインフレータを有するエアバッグユニットを更に含む。エアバッグユニットは、シートバックによって担持される。エアバッグは、シートバックの上端部に近接する格納位置からシートバックの後側から後方に展開可能である。少なくとも１つのポストは、エアバッグユニットから横方向に離間している。
【００１１】
更に別の特定の態様によれば、本教示は同様に、前側及び後側を有するシートバックを含む車両用シートを提供する。この場合もやはり、車両用シートは、ヘッドレストと、ヘッドレストとシートバックとを調節可能に接続する少なくとも１つのポストと、を付加的に含む。車両用シートは、エアバッグ及びインフレータを有するエアバッグユニットを更に含む。エアバッグユニットは、シートバックによって担持される。エアバッグは、シートバックの上端部に近接する格納位置からシートバックの後側から後方に展開可能である。少なくとも１つのポストは、エアバッグユニットと交差する少なくとも１つのポストのポスト伸長軸と同一直線上にあるラインを有するエアバッグユニットの垂直上方の下端部を含む。
【００１２】
本明細書に提供される説明から、適用可能な更なるエリアが明らかとなるであろう。この概要の説明及び具体例は、ただ例示目的のみを意図し、本開示の範囲を制限することは意図しない。
【図面の簡単な説明】
【００１３】
本明細書に記載の図面は、全ての可能な実施のあり方を示す目的ではなく、選択された実施形態を例示する目的のためにのみ提供され、本開示の範囲を制限することを意図しない。
【００１４】
【図１】本教示による、前方車両用シートを組み込んだ例示的な車両の一部分を部分的に切り取って示される簡略側面図であり、車両の前方車両用シートは、膨張式安全拘束システム及び調節可能なヘッドレストを含み、膨張式安全拘束システムは、前方車両用シートのシートバックに装着され、かつ後部シート内の乗員を保護するように動作するエアバッグを含み、エアバッグは展開直後に示されている。
【００１５】
【図２】図１の前方車両用シートの一部分の拡大図である。
【００１６】
【図３】図１の前方車両用シートの一部分の簡略背面図であり、ヘッドレストは切り取られて示されている。
【００１７】
【図４】本教示による別の前方車両用シートを図示する、図３と同様の簡略背面図であり、エアバッグユニットは、シートバックに装着され、エアバッグユニットのエアバッグは、格納状態で示され、ヘッドレストは下降位置で示されている。
【００１８】
【図５】図４の車両用シートの簡略側面図であり、車両用シートは、断面で示され、図４の膨張式拘束システムは、エアバッグの展開後に示されている。
【００１９】
【図６】図４と同様の簡略側面図であり、ヘッドレストは、隆起位置で示されている。
【００２０】
【図７】本教示による、調節可能なヘッドレストを有し、かつ別の膨張式安全拘束システムを組み込む例示的な前方車両用シートの一部分を図示する、図３と同様の簡略背面図であり、膨張式安全拘束システムは、シートバックに装着されたエアバッグを含み、エアバッグは、格納状態で示され、ヘッドレストは、下降位置で示されている。
【００２１】
【図８】図７の例示的な前方車両用シート及び膨張式安全拘束システムの簡略背面図であり、ヘッドレストは、隆起位置で示され、エアバッグは、展開状態で示されている。
【発明を実施するための形態】
【００２２】
ここで、添付の図面を参照しながら、例示的な実施形態をより完全に説明する。
【００２３】
例示的な実施形態は、本開示をより不備のないものとし、本開示がその範囲を当業者に完全に伝えることができるようにするために提供される。本開示の実施形態を不備なく理解できるようにするように、具体的構成部品、デバイス、方法の例のような数多くの具体的詳細事項が記述される。当業者には明らかであろうが、具体的な詳細は必ずしも用いられる必要はなく、例示的な実施形態は、本開示の範囲を制限するものと考えるべきではない。周知のプロセス、周知のデバイス構造、及び周知の技術については、本明細書では詳細には説明はされない。
【００２４】
最初に図１〜図３を参照すると、本教示によるモータ車両のシートが図示され、かつ概して基準文字１０で特定される。車両用シートは、車両の前部又は前方シート１０である。本明細書で使用するとき、「前部シート」及び「前方シート」という用語は、後側乗員のための更なるシートが前部又は前方シートの後ろにあり得ることを意味すると理解されるものとする。前部又は前方シートは、車両内の最前シートである必要はない。車両用シート１０は、膨張式安全拘束システム１２を含む。図１の環境図では、前方車両用シート１０は後部シート１３の前方に示されている。以下でより完全に理解されるように、後部シート１３の乗員は、膨張式安全拘束システム１２によって保護される。
【００２５】
車両用シート１０は従来、シートバック１４及びヘッドレスト１５を含む。シートバック１４は、前側１４Ａ及び後側１４Ｂを有する。図示される特定のシート１０が単なる例示であることが理解されるであろう。この点に関して、本教示は、本教示の範囲内の様々な他のシートに適合され得る。
【００２６】
膨張式安全拘束システム１２は、概して、エアバッグユニット１８の一部であるハウジング１６を含む。ハウジング１６は、シートバック１４の後側１４Ｂに位置付けられる。エアバッグユニット１８は、インフレータ２０及びエアバッグ２２を更に含む。インフレータ２０は、例えば、ガス発生器の形態であり得る。
【００２７】
エアバッグ２２は、所望の形状若しくは輪郭を作り出すためにサイドパネルを有する複数枚構造であり得、又は代替的に、プリーツ、内部テザー、外部テザー、及び／若しくは非膨張領域の組み合わせを使用して所望の形状を作り出す、二パネル若しくは単一パネル「枕」型構造であり得る。エアバッグ２２の布地は、一枚の織布（one-piece woven、ＯＰＷ）であり得、クッションの幾何学的形状を制御し、かつ複雑さ／コストを低減するために、テザー内の内部織布及び非膨張領域（ゼロ長さテザー）を含み得る。エアバッグ２２は、通常、ハウジング１６内に格納され得る。この点に関して、エアバッグ２２は、ハウジング１６内にロール折り畳みされるか、ｚ折り畳みされるか、又は別の方法で格納され得る。
【００２８】
図１及び図２では、例えば、エアバッグ２２は、外力を含まない膨張状態又は完全展開状態で示されている。更に説明すると、エアバッグ２２は、乗員がエアバッグ２２に衝突する前にこの図に示されている。車両用シート１０のシートバック１４は、１５°〜４５°の標準的な傾斜範囲内で図面全体をとおして示されている。「完全に膨張した」という用語は、展開され、外力を含まないとき、エアバッグの状態を参照するために本明細書で使用され得る。参照のために、前方及び後方車両方向は、それぞれ矢印Ｆ及び矢印Ｒ（図１を参照）で図面に示されている。上向きの垂直方向は、参照矢印Ｖで特定される。本明細書で使用するとき、「後方」という用語は、車両に対して後方、又は矢印Ｒの方向にあると理解される。
【００２９】
完全に膨張したエアバッグ２２は、シートバック１４の上端部に近接するシートバック１４から後方に、かつエアバッグユニット１８のハウジング１６から上方に延在するように示されている。エアバッグ２２は、シートバック１４及びヘッドレスト１５の頂部を適切に覆い、それによって後部シート乗員１３を保護するための容積及びサイズを有する。しかしながら、エアバッグ２２の特定の構成が例示的であり、本教示が、シートバック１４の後側１４Ｂから展開可能な様々な他のエアバッグと共に使用され得ることが理解されるであろう。いくつかの追加の実施例は、同一出願人による米国特許出願第６２／５００，６４６号に示されている。米国特許出願第６２／５００，６４６号は、本明細書に完全に記載されているかのように、参照により組み込まれる。
【００３０】
図示される特定の用途では、エアバッグ２２は、単一のシート１０を実質的に横切って車幅方向において延在することが意図されている。この特定の用途では、エアバッグ２２は、約２０Ｌ〜４０Ｌの容積を有し得る。この容積が例示的であり、本教示の範囲内で修正され得ることが理解されるであろう。また、本教示を適合させて複数の後部シート乗員を保護するために、エアバッグの幅を増加させ得ることも理解されるであろう。
【００３１】
ヘッドレスト１５は、少なくとも１つのポスト２４によって、シートバック１４に接続される。図示される実施形態では、少なくとも１つのポスト２４は、ヘッドレスト１５をシートバック１４と調節可能に接続する。例えば、ヘッドレストは、シートバック１４に対して高さ調節可能であり得る。更に、図示される実施形態では、少なくとも１つのポスト２４は、第１のポスト２４Ａ及び第２のポスト２４Ｂを含む。各ポスト２４は、ポスト軸Ａに沿って伸長される。ヘッドレストは、ポスト軸Ａに平行な方向Ｃで高さ調節可能であり得る。
【００３２】
ポスト２４の各々は、シートバック１４の頂部１４Ｃに装着された下端部２６を含む。下端部２６は、シートバック１４に、任意の好適な方法で装着され得る。図面の図１〜図３に示される実施形態では、ポスト２４の下端部２６は、下端部がシートバック１４に対して関節運動しない、又は別の方法で移動しないように、シートバック１４の頂部に固定的に装着される。
【００３３】
ポスト２４の下端部２６は、シートバック１４内に最大距離Ｄまで下方に延在している。最大距離Ｄは、エアバッグユニット１８がシートバック１４内で利用可能な包装空間を増加させる目的で制限される。最大距離Ｄは、好ましくは１００ｍｍ以下である。より好ましくは、最大距離Ｄは５０ｍｍ以下である。最も好ましくは、最大距離Ｄは２５ｍｍ以下である。本教示が、シートバック１４の頂部１４６からエアバッグユニット１８までの距離を低減することを可能にすることが認識されるであろう。結果として得られる１つの利益は、エアバッグ２２を、潜在的な頭部衝撃に最も近いシートバック１４内に位置付けることによってエアバックサイズを低減させ得ることである。これは、エアバッグ２２をシートバック１４内に非常に高い状態で装着する柔軟性を提供する。
【００３４】
ポスト２４の各々は、ヘッドレスト１５と共に伸縮可能に受容される上端部２８を含む。ヘッドレスト１５は従来、ポスト２４と協働する戻り止めを含み得る。代替的に、ヘッドレスト１５は、ポストと協働する伸縮式チューブを含み得る。ポスト２４が、当該技術分野において周知の任意の方法でヘッドレスト１５によって調節可能に受容され得ることが理解されるであろう。
【００３５】
ポスト２４の各々は、各ポストの下端部２６が、エアバッグユニット１８と交差するポスト伸長軸Ａと同一直線上にあるラインを有するエアバッグユニット１８の垂直上方にある位置で、エアバッグユニット１８に対して配向されている。
【００３６】
図４〜図６を参照すると、本教示による別の車両用シートが図示されており、概して、基準文字１００で特定される。車両用シート１００と車両用シート１０との間の類似性を考慮すると、同様の要素を特定するために一般的な基準文字が使用されることになる。車両用シート１００は、ヘッドレスト１５が軸Ｂを中心にしてシートバック１５に対して関節運動し得る点で、車両用シート１０とは異なる。ヘッドレスト１５とヘッドレスト１５のポスト２４との間のこの関節運動可能な連結は、任意の好適な方法で達成され得る。図示される実施形態では、ポスト２４の下端部は、シートバック１４に対して角度調節可能である。しかしながら、ヘッドレスト１５の角度調節は、本教示の範囲内のポスト２４に沿った任意の点にあり得ることが理解されるであろう。
【００３７】
図４では、エアバッグユニット１８のエアバッグ２２は格納状態で示され、ヘッドレスト１５は下降位置で示されている。図５では、エアバッグ２２は展開位置にあり、ヘッドレスト１５は下降位置に留まる。ヘッドレスト１５は、直立位置（破線で示される）と前方位置（実線で示される）との間で枢動軸Ｂを中心に関節運動され得る。図６では、ヘッドレスト１５が延在位置で示されている。
【００３８】
図７及び図８を参照すると、本教示による別の車両用シートが図示されており、概して、基準文字２００で特定される。この場合もやはり、車両用シート２００と車両用シート１０との間の類似性を考慮すると、同様の要素を識別するために一般的な基準文字が使用されることになる。車両用シート２００は、エアバッグユニット１８に対して横方向に配置された少なくとも１つのポスト２０２を組み込むことによって、車両１０とは主に異なる。
【００３９】
ヘッドレスト１５は、少なくとも１つのポスト２０２によって、シートバック１４に接続される。図示される実施形態では、少なくとも１つのポスト２０２は、ヘッドレスト１５をシートバック１４と調節可能に接続する。例えば、ヘッドレスト１５は、シートバック１４に対して高さ調節可能であり得る。更に、図示される実施形態では、少なくとも１つのポスト２０２は、第１のポスト２０２Ａ及び第２のポスト２０２Ｂを含む。各ポスト２０２は、シートバック１４に連結された下部２０４と、ヘッドレスト１５に連結された上部２０６と、を含む。ポスト２０２は、シートバック１４の後側１４Ｂで担持されたエアバッグユニット１８から横方向に離間され得る。より具体的には、ポスト２０２の下部２０４は、エアバッグユニット１８から横方向に離間され得る。本明細書で横方向に離間したという用語が使用されるとき、シートバック１４を有する少なくとも１つのポストの少なくとも一部分は、内側又は外側方向において、エアバッグユニット１８に対して配置されることが理解されるであろう。エアバッグユニット１８に対するポスト２０２のこの横方向に離間することは、エアバッグユニット１８がシートバック１４内で利用可能な包装空間を増加させる。
【００４０】
ヘッドレスト１５は、ポスト軸Ａに平行な方向において高さ調節可能であり得る。図示される実施形態では、ポスト２０２の下部２０４は、シートバック１４で伸縮可能に受容される。シートバック１４は、ポスト２０２の下部２０４と協働する戻り止めを含み得る。代替的に、シートバック１４は、ポスト２０２の下部２０４と協働する伸縮式チューブを含み得る。ポスト２０２の下部２０４が、当該技術分野において周知の任意の方法で、シートバック１４によって調節可能に受容され得ることが理解されるであろう。ポスト２０２の下部２０４は、ヘッドレスト１５がシートバック１４に対して移動する軸Ａを画定する。
【００４１】
ポスト２０２の各々は、下部２０４と上部２０６との間に中間部２０８を更に含み得る。中間部２０８は、下部２０４及び上部２０６の両方に対して垂直であり得る。ヘッドレスト１５が十分に幅広（すなわち、車幅方向において）である場合、上部２０６及び下部２０４は互いに同一直線上であり得る。
【００４２】
各ポスト２０２の上部２０６は、上部２０６とヘッドレストとの間に移動がないように、ヘッドレスト１５に固定的に固定され得る。代替的に、各ポスト２０２の上部２０６は、（例えば、図１〜図３の実施形態に関して上述した方法で）ヘッドレスト１５によって伸縮可能に受容され得、下部２０４は、下部２０４とシートバック１４との間に移動がないように、シートバック１４に固定され得る。他の代替的な用途では、ヘッドレスト１５は、ポスト２０２の上部に対して関節運動／枢動し得る（例えば、図４〜図６の実施形態に関して議論した関節運動を提供するために）。
【００４３】
したがって、本教示は、シートバック１４及びヘッドレスト１５の頂部の適切な被覆を達成する一方で、低減したエアバッグクッションサイズを有する後部乗員エアバッグを可能にする車両用シートの実施形態を提供する。この点に関して、エアバッグユニット１８を、シートバック１４の頂部１４Ｃ（例えば、図２を参照）に近接して装着することが可能である。本教示は、シートバックの頂部に近接しているシートバックにおいて利用可能な包装空間が低減したことに起因して、重要な課題を克服する。
【００４４】
本明細書で用いられている用語は、特定の例示的実施形態の場合に限ってのものであり、制限的なものとして意図されてはいない。本明細書において用いられる場合、単数形の「ａ」、「ａｎ」、及び「ｔｈｅ」は、文脈からそうではないと明確に示されていない限り、複数形をも含むことを意図されている場合がある。『含む、備える、有する（「ｃｏｍｐｒｉｓｅｓ」、「ｃｏｍｐｒｉｓｉｎｇ」、「ｉｎｃｌｕｄｉｎｇ」、及び「ｈａｖｉｎｇ」）』という用語は、包括的なものであり、そのため、言及された機能、整数、ステップ、作業、要素、及び／又は構成部品を具体的に指すが、その他の機能、整数、ステップ、作業、要素、構成部品、及び／又はそれらの集団の１つ以上のものの存在又は追加をあらかじめ排除するものではない。本明細書において説明された方法のステップ、プロセス、及び動作は、実行の順序として具体的に識別されない限り、論じられた又は図示されたその特定の順序で実行することを必須として要求していると考えるべきではない。追加的又は代替的なステップが用いられ得るということも理解すべきである。
【００４５】
ある要素又は層が、他の要素又は層の「上にある」、「に係合している」、「に接続されている」、又は「に結合されている」と言及された場合には、その要素又は層は、直接、その他の要素又は層の「上にある」、「に係合している」、「に接続されている」又は「に結合されている」場合があり、あるいは中間に介在する要素又は層が存在し得る。対照的に、ある要素が、他の要素の「直接上に」、「に直接係合している」、「に直接接続されている」、又は「に直接結合されている」と言及された場合には、中間に介在する要素又は層は存在しなくてよい。要素間の関係を説明するために使用される他の言葉は、同様の考え方で解釈されるべきである（例えば、「の間（between）」対「直接的に．．．の間（directly between）」、「隣接して」対「直接隣接して」等）。本明細書において用いられる場合には、「及び／又は」という用語は、１つ以上の関連するリストされた項目の、任意の及び全ての組み合わせを含むものである。
【００４６】
第１、第２、第３などの用語は、様々な要素、構成部品、領域、層及び／又は区域を説明するために本明細書において用いられ得るが、これらの要素、構成部品、領域、層及び／又は区域は、これらの用語により制限されるべきではない。これらの用語は、１つの要素、構成部品、領域、層、又は区域を、他の領域、層、又は区域と区別するためにのみ使用され得る。本明細書において用いられる場合、「第１」、「第２」及びその他の数量表現は、それが文脈から明らかに指示されない限り、順番又は順序を暗に示してはいない。したがって、第１の要素、構成部品、領域、層、又は区域が下で論じられる場合には、例示的実施形態の教示から逸脱することなく、第２の要素、構成部品、領域、層、又は区域と呼ぶことが可能である。
【００４７】
空間を表す相対的用語、例えば「内側の」、「外側の」、「下の」、「下方の」、「下部の」、「上方の」、「上部の」等は、１つの要素又は特徴部の、他の要素又は特徴部（ともに複数可）との関係を、図面に示されるように説明するための記述を容易にするために用いられ得る。空間を表す相対的用語は、図面に描かれた向きに加えて、使用中又は動作中のデバイスの異なる向きを含むように意図され得る。例えば、図面中のデバイスがひっくり返される場合、他の要素又は特徴部の「下に」又は「下方に」あるとして記述されるある要素は、その他の要素又は特徴部の「上方」に配向されることになる。したがって、この例に挙げた用語「下に」は、「上に」と「下に」の両方の向きを含み得る。デバイスは、その他の向きに配向し得る（９０度又はその他の向きに回転させる）が、その際には、本明細書において用いられる空間を表す相対的記述用語は、それに従って解釈される。
【００４８】
ここまでの実施形態の説明は、例示と説明の目的で提供されてきたものである。それは、徹底的に説明しつくすことを意図してはおらず、また本開示を制限することも意図していない。ある特定の実施形態の個々の要素又は機能は、一般的に、その特定の実施形態に制限されるものではなく、それが適用可能な場合には交換可能なものであり、特に具体的に図示又は記載されていない場合でも、選択された実施形態において用いられ得るものである。同じ実施形態に、多くの方法で変形をすることも可能である。そのような変形は、本開示からの逸脱としてみなされるべきではなく、そのような修正の全ては、本開示の範囲に含まれるように意図されている。例えば、本教示がベンチシートに関連して使用される場合、単一のエアバッグは、全ての着座位置にわたって延在し得、単一のインフレータによって展開され得る。
【図１】
2021511258.tif 000003
【図２】
2021511258.tif 000004
【図３】
2021511258.tif 000005
【図４】
2021511258.tif 000006
【図５】
2021511258.tif 000007
【図６】
2021511258.tif 000008
【図７】
2021511258.tif 000009
【図８】
2021511258.tif 000010
【国際調査報告】
2021511258.tif 000011
2021511258.tif 000012
2021511258.tif 000013